(57)【要約】【課題】営業終了後であっても、安定的にガラス扉や前枠が開かれた跡が確実に残り、それを容易に検知することが可能な遊技機を提供する。【解決手段】前枠１２と、前枠１２に取り付けられ開閉可能なガラス扉１３とを備える遊技機であって、固有情報を記憶しているＲＦタグ２０３ａと、破壊位置においてＲＦタグ２０３ａを破壊する破壊体としての糸２０２ａ、糸２０２ｂおよび移動体２０５ａと、破壊体を破壊位置に向けて付勢する弾性体２０１ａと、遊技機の電源が入である場合の電力を利用するコイル２１２ａによる電磁力で破壊体の移動を規制する規制位置に保持され、遊技機の電源が切である場合にバネ２１１ａの付勢力により破壊体の移動に対する規制を解除する解除位置に保持されるピン２０８ａと、ガラス扉１３の開閉に応じて破壊体の移動を規制する位置と規制を解除する位置とに配置される突起２０６ａとを備える。【選択図】図２
2008295575.tif 000002
【特許請求の範囲】
【請求項１】
基体と、前記基体に取り付けられ開閉可能な扉体とを備える遊技機であって、
前記基体および前記扉体の一方には、
前記遊技機の固有情報を記憶しているＲＦタグと、
前記ＲＦタグを破壊する破壊位置と非破壊位置との間を移動可能な破壊体と、
前記破壊体を前記非破壊位置から前記破壊位置に向けて付勢する第１付勢部材と、
前記破壊体の移動を規制する規制位置と、前記破壊体の移動に対する規制を解除する解除位置との間を移動可能な第１規制部材と、
前記第１規制部材を前記解除位置に向けて付勢する第２付勢部材と、
前記遊技機の電源が入である場合に供給される電力を利用して励磁される電磁力で前記第１規制部材を前記規制位置に保持する電磁力発生手段とを備え、
前記基体および前記扉体の他方には、
前記扉体が閉じている場合に前記破壊体の移動を規制する規制位置に配置され、前記扉体が開いている場合に前記破壊体の移動に対する規制を解除する解除位置に配置される第２規制部材を備える
ことを特徴とする遊技機。
【発明の詳細な説明】
【技術分野】
【０００１】
本発明は、遊技機に関する。
【背景技術】
【０００２】
前枠を開いたパチンコ遊技機の裏側には遊技を制御する基板が取り付けられている。基板に保持実行されるプログラムに変更を加えたり、基板の動作を狂わせる装置を取り付けることによって、遊技者に有利になるようにしようと、営業終了後のパチンコ店に忍び入るなどして、パチンコ遊技機に対して不正行為を働こうとする者がいる。
【０００３】
パチンコ店は、不正行為がなされたパチンコ遊技機で遊技されることを防ぎたい。そこで、パチンコ遊技機に対する不正行為を検知するための管理システムが提案されている。
【０００４】
例えば、従来、管理システムを利用して、パチンコ遊技機の前枠が開かれたか否かを常時監視する技術が提案されている（例えば、特許文献１参照）。
【０００５】
特許文献１に記載の技術は、パチンコ遊技機の前枠にＲＦタグを取り付け、外枠に一定の距離内にあるＲＦタグと通信可能なアンテナを取り付ける。外部のリーダライタユニット（以下、「Ｒ／Ｗユニット」とも記す。）は、アンテナを介してＲＦタグをポーリングする。前枠が開かれると、ＲＦタグとアンテナとは通信不能になる。このように通信不能であることを検知し、前枠が開かれたことを検知する。
【０００６】
パチンコ店の営業が終了した後には、一般にパチンコ遊技機の主電源は切られる。特許文献１に記載の技術は、パチンコ遊技機に電力を供給する予備電源を使って、ガラス扉が開かれたことを上述のように検知し、また、その情報を記憶媒体などに記録する。
【０００７】
特許文献１には、同様の技術により、回路基板が取り付けられるガラス扉が開かれたことを検知する技術も開示されている。
【特許文献１】特開２００４−８４２５８号公報
【発明の開示】
【発明が解決しようとする課題】
【０００８】
しかしながら、従来の管理システムによりガラス扉や前枠が開かれたことを検知するには、少なくともＲ／Ｗユニットに電力を供給し続ける必要があり、また管理システムが稼動している必要があるという問題がある。
【０００９】
すなわち、予備電源による電力供給が断たれた場合や、管理システムに不具合が発生した場合には、ガラス扉や前枠が開かれたとしても、その記録が残されない可能性がある。
【００１０】
本発明は、上記の問題を解決するためになされたもので、営業終了後であっても、ガラス扉や前枠が開かれた跡が確実に残り、ガラス扉や前枠が開かれたことを容易に検知することが可能なパチンコ遊技機の提供を目的とする。
【課題を解決するための手段】
【００１１】
上記目的を達成するために、基体と、前記基体に取り付けられ開閉可能な扉体とを備える遊技機であって、前記基体および前記扉体の一方には、前記遊技機の固有情報を記憶しているＲＦタグと、前記ＲＦタグを破壊する破壊位置と非破壊位置との間を移動可能な破壊体と、前記破壊体を前記非破壊位置から前記破壊位置に向けて付勢する第１付勢部材と、前記破壊体の移動を規制する規制位置と、前記破壊体の移動に対する規制を解除する解除位置との間を移動可能な第１規制部材と、前記第１規制部材を前記解除位置に向けて付勢する第２付勢部材と、前記遊技機の電源が入である場合に供給される電力を利用して励磁される電磁力で前記第１規制部材を前記規制位置に保持する電磁力発生手段とを備え、前記基体および前記扉体の他方には、前記扉体が閉じている場合に前記破壊体の移動を規制する規制位置に配置され、前記扉体が開いている場合に前記破壊体の移動に対する規制を解除する解除位置に配置される第２規制部材を備える。
【００１２】
このように、破壊体は、２つの規制部材により移動が規制されている。１つは、遊技機の電源が入であることに連動して規制する第１規制部材であり、もう１つは、基体に取り付けられた扉が閉じていることに連動して規制する第２規制部材である。遊技機の電源が切られた場合には、第１規制部材による規制は解除され、その結果、第２規制部材のみによって破壊体の移動は規制される。そのため、遊技機の電源が切られた後に、扉が開かれると第２規制部材による規制は解除され、破壊体の移動によりＲＦタグは破壊される。遊技機による遊技を提供する店の営業終了後には遊技機の電源は切られる。そのため、営業終了後に店に忍び込んで不正行為をするために扉が開かれた場合には、ＲＦタグは確実に破壊される。
【００１３】
また、遊技機の電源が入の場合、扉が開かれても第２規制部材によって破壊体の移動は規制される。正規の者が遊技機をメンテナンスする場合には遊技機の電源は入れられている。そのため、遊技機をメンテナンスするために扉が開かれてもＲＦタグは破壊されない。
【００１４】
そして、ＲＦタグが破壊されたか否かは、Ｒ／ＷユニットをＲＦタグにかざし、またはＲ／ＷユニットがＲＦタグをポーリングすることによって容易に検知することができる。
【発明を実施するための最良の形態】
【００１５】
以下、本発明に係る実施の形態を図面に沿って説明する。
【００１６】
図１は、本実施形態のパチンコ遊技機１００を示す斜視図である。
【００１７】
同図に示すように、パチンコ遊技機１００は、外枠１１と、前枠１２と、ガラス扉１３と、前枠１２に取り付けられる遊技盤１４と、開放検知装置２００ａとを備える。
【００１８】
外枠１１は、パチンコ遊技機１００の各構成要素を保持するための基礎となる枠体であり、矩形状の枠体となっている。外枠１１は、パチンコホールなど設置されている台島に直接固定される部材であり、台島と外枠１１のみとを固着することによりパチンコ遊技機１００が台島に設置される。
【００１９】
基体としての前枠１２は、遊技盤１４や、各種制御基盤などが直接的に、また取り付け用部材を介して間接的に取り付けられる部材である。また、前枠１２は、外枠１１の前端面左側とヒンジ１を介して取り付けられており、外枠１１に対して前枠１２が回動することにより開閉する扉である。
【００２０】
また、前枠１２の前面下部には遊技者が操作できる遊技球５を貯留するための上皿１６が設けられ、上皿の右下方には、遊技者が回転させることにより遊技球５の射出の可否を選択し、また、遊技球５の射出速度を変更するためのハンドル１８が設けられている。
【００２１】
扉体としてのガラス扉１３は、前枠１２の前面にヒンジ２を介して装着される部材であり、前枠１２に対してガラス扉１３が回動することにより開閉する扉である。同図は、ガラス扉１３が開いた状態を示す。
【００２２】
このガラス扉１３は円形孔状の窓部３を有し、当該窓部３を背面から覆うようにガラス板が取り付けられている。
【００２３】
遊技盤１４は、遊技球５が転落する遊技領域を形成するための木製や樹脂製の部材であり、遊技球５を複雑に転落させるための釘１７や、大当たりを判定するためのトリガーとなる始動口１５や、大当たり遊技中に遊技球５を受け取るために開放される大入賞口１９などが取り付けられる部材である。
【００２４】
開放検知装置２００ａは、ガラス扉１３が開かれたことを検知する装置であり、扉体としてのガラス扉１３と基体としての前枠１２とに別れて備えられる。
【００２５】
開放検知装置２００ａの詳細について、図２を参照して説明する。
【００２６】
図２は、開放検知装置２００ａの構成の第１の例を示す斜視図である。同図は、図１に示す開放検知装置２００ａ部分を拡大した図である。開放検知装置２００ａは、ガラス扉１３と前枠１２とに取り付けられる。
【００２７】
同図に示すように、開放検知装置２００ａは、ＲＦタグ２０３ａと、糸２０２ａ〜２０２ｃと、弾性体２０１ａと、移動体２０５ａと、突起２０６ａと、ピン２０８ａと、バネ２１１ａと、コイル２１２ａとを備える。
【００２８】
本図に示すように、基体としての前枠１２には、ＲＦタグ２０３ａと、糸２０２ａ〜２０２ｃと、弾性体２０１ａと、移動体２０５ａと、ピン２０８ａとが備えられる。また、扉体としてのガラス扉１３には、突起２０６ａが備えられる。
【００２９】
ＲＦタグ２０３ａは、パチンコ遊技機１００の固有情報を記憶保持しているＩＣチップと、外部のＲ／Ｗユニットとの間で情報を含む電波を送受信するアンテナとを有する。ＲＦタグ２０３ａは、保持部２０４ａにより糸２０２ｂに着脱自在に取り付けられ、保持部２０４ｂにより糸２０２ｃに着脱自在に取り付けられる。
【００３０】
ＲＦタグ２０３ａは、破壊を容易にするために脆弱部を備える。本実施の形態の脆弱部はミシン目２０８である。
【００３１】
破壊体としての糸２０２ａ、糸２０２ｂおよび移動体２０５ａは、弾性体２０１ａの引く力によりＲＦタグ２０３ａを破壊する破壊位置と非破壊位置との間を移動可能なものである。非破壊位置とは、ＲＦタグ２０３ａを破壊することがない位置のことをいう。
【００３２】
ここで、「破壊」とは、ＲＦタグ２０３ａのアンテナがＩＣチップから分離したり、アンテナが切り離されたり、アンテナの形状が歪められたりすることによって、ＲＦタグ２０３ａがＲ／Ｗユニットと情報を送受信することができなくなることをいう。
【００３３】
第１付勢部材としての弾性体２０１ａは、その引っ張る力によって、糸２０２ａと移動体２０５ａと糸２０２ｂとを破壊位置に付勢するゼンマイバネである。なお、弾性体２０１ａは、コイルバネなどＲＦタグ２０３ａを破壊できる程度の弾力を有するものであればよい。
【００３４】
第２規制部材としての突起２０６ａは、図３に示すようにガラス扉１３が閉じた状態で移動体２０５ａが有する穴２０７ａと嵌め合わさる位置に設けられ、ガラス扉１３の開閉に応じて破壊体としての糸２０２ａ、糸２０２ｂおよび移動体２０５ａに対して相対移動する。
【００３５】
突起２０６ａは、ガラス扉１３が閉じている場合に穴２０７ａと嵌まり合い、破壊体としての糸２０２ａ、糸２０２ｂおよび移動体２０５ａの移動を規制する規制位置に配置される。また、突起２０６ａは、ガラス扉１３が開いている場合、同図に示すように穴２０７ａと嵌まり合うことがなく、破壊体としての糸２０２ａ、糸２０２ｂおよび移動体２０５ａの移動に対する規制を解除する解除位置に配置される。
【００３６】
第１規制部材としてのピン２０８ａは、破壊体としての糸２０２ａ、糸２０２ｂおよび移動体２０５ａの移動を規制する規制位置と、破壊体としての糸２０２ａ、糸２０２ｂおよび移動体２０５ａの移動に対する規制を解除する解除位置との間を移動可能な部材であり、パチンコ遊技機１００の電源の入切に連動して、突出および没入するソレノイド２１０ａが有するプランジャの先端部分である。
【００３７】
ソレノイド２１０ａは、第２付勢部材としてのバネ２１１ａと、電磁力発生手段としてのコイル２１２ａとを備える。
【００３８】
第２付勢部材としてのバネ２１１ａは、ピン２０８ａをその解除位置に向けて付勢する。
【００３９】
電磁力発生手段としてのコイル２１２ａは、遊技機の電源が入である場合に供給される電力を利用して電磁力を励磁し、その電磁力で第１規制部材としてのピン２０８ａをその規制位置に保持する。また、コイル２１２ａは、遊技機の電源が入である場合に供給される電力を利用するため、遊技機の電源が切である場合には電源が断たれ、電磁力を励磁しない。
【００４０】
このようなソレノイド２１０ａにより、パチンコ遊技機１００の電源が入である場合、ピン２０８ａは突出する。同図は、パチンコ遊技機１００の電源が入である場合を示しており、第１規制部材としてのピン２０８ａが、破壊体としての糸２０２ａ、糸２０２ｂおよび移動体２０５ａの移動を規制してる状態を示す。
【００４１】
また、パチンコ遊技機１００の電源が切である場合、ピン２０８ａはバネ２１１ａの付勢力により没入する。
【００４２】
以上のような開放検知装置２００ａでは、パチンコ遊技機１００の電源が「入」である場合、または、ガラス扉１３が閉じている場合に、第２規制部材としての突起２０６ａおよび第１規制部材としてのピン２０８ａの少なくとも一方によって、破壊体としての糸２０２ａ、糸２０２ｂおよび移動体２０５ａの移動が規制されている。
【００４３】
したがって、例えば、遊技中に釘１７などにより形成される遊技球５の流路が遊技球５により詰まる、いわゆる球詰まりは、ガラス扉１３を開けて流路に詰まった遊技球５を取り除くことにより解消されるが、このようなメンテナンスのためにガラス扉１３を開いても、遊技中のパチンコ遊技機１００の電源は「入」であるため、ＲＦタグ２０３ａは破壊されない。また例えば、パチンコ遊技機１００の電源が切られたとしても、ガラス扉１３が閉じていれば、ＲＦタグ２０３ａは破壊されない。
【００４４】
また、パチンコ遊技機１００の電源が「切」であり、かつ、ガラス扉１３が開いている場合に、破壊体としての糸２０２ａ、糸２０２ｂおよび移動体２０５ａの移動に対する、第２規制部材としての突起２０６ａおよび第１規制部材としてのピン２０８ａによる規制はともに解除される。そのため、破壊体としての糸２０２ａ、糸２０２ｂおよび移動体２０５ａが弾性体２０１ａ方向に移動し、ＲＦタグ２０３ａは弾性体２０１ａの付勢力により破壊される。
【００４５】
したがって、パチンコ遊技機１００の電源が切られた後に、ガラス扉１３が開かれるとＲＦタグ２０３ａは機械的に破壊される。
【００４６】
ＲＦタグ２０３ａが破壊されたか否かは、後述するＲ／Ｗユニット（３１０）を各パチンコ遊技機１００にかざすことにより、容易に検知することができる。
【００４７】
図４は、ＲＦタグ２０３ａの破壊を検知するためのＲ／Ｗユニット３１０を示す図である。
【００４８】
Ｒ／Ｗユニット３１０は、電波を送受信する読取部３１１とＲＦタグ２０３ａの異常を検知する本体３１２とを備える。本体３１２は、図示しない記憶媒体を有しており、その記憶媒体にあらかじめ固有情報が格納登録されている。
【００４９】
利用者は、Ｒ／Ｗユニット３１０の電源を入れ、Ｒ／Ｗユニット３１０の読取部３１１をパチンコ遊技機１００にかざす。これにより、Ｒ／Ｗユニット３１０の本体３１２は、パチンコ遊技機１００のＲＦタグ２０３ａからの応答として読取部３１１が電波を受信した場合に、その電波に含まれる情報と固有情報とを照合することにより、ＲＦタグ２０３ａの破壊を検知する。具体的には、応答としての電波を受信しない場合、および応答として受信した電波に含まれる情報が固有情報と一致しない場合に、ＲＦタグ２０３ａが破壊されていると判定する。
【００５０】
また、本体３１２は、応答として受信した電波に含まれる情報が固有情報と一致する場合に、ＲＦタグ２０３ａが破壊されていないと判定する。
【００５１】
同図の本体３１２に示す「ＯＫ」は、ＲＦタグ２０３ａが破壊されていないと判定されたことを示す表示の一例である。このような表示により、利用者は検知されたＲＦタグ２０３ａの破壊を知ることが可能になる。
【００５２】
なお、開放検知装置２００ａは、基体としての外枠１１と扉体としての前枠１２とに別れて備えられ、前枠１２が空けられたことを検知してもよい。
【００５３】
図５は、パチンコ遊技機１００の前枠１２を背面方向から示す斜視図である。
【００５４】
同図に示すように、パチンコ遊技機１００の前枠１２の背面には、装飾ランプや液晶ディスプレイによる表示制御をする表示サブ基板１０５と、各種音声の出力制御をする音声基板１０６と、入賞時におけるパチンコ遊技機の動作等を含むパチンコ遊技機の主要な動作を制御する主基板１０７と、パチンコ球の払い出し動作を制御する払出基板１０８と、各基板等に電源を供給する電源基板１０９とを含む各種基板が透明な基板ケースに収納された状態で取り付けられている。
【００５５】
台島に設置されたパチンコ遊技機１００では、前枠１２を扉のように開けることにより、パチンコ遊技機１００の背部が露出され、前枠１２に取り付けられる基板に変更を加えることが可能となる。
【００５６】
図６は、パチンコホールの台島３００に取り付けられているパチンコ遊技機１００の前枠１２を開けた状態を示す斜視図である。
【００５７】
図６に示す開放検知装置２００ａの詳細な構成は、図２を参照して説明した開放検知装置２００ａと同様であるため、ここでの説明は省略する。また、図６に示す開放検知装置２００ａを利用した前枠１２が開かれたことを検知するためのＲ／Ｗユニットの構成は図４を参照して説明したＲ／Ｗユニット３１０と同様であり、その処理も上述のものと同様であるため、ここでの説明は省略する。
【００５８】
これにより、パチンコ遊技機１００の電源が切れている間に前枠１２が開かれた場合、確実にＲＦタグが破壊されるため、前枠１２が開かれたことを容易に検知することが可能になる。
【００５９】
なお、扉体としてのガラス扉１３に、ＲＦタグ２０３ａと、糸２０２ａ〜２０２ｃと、弾性体２０１ａと、移動体２０５ａと、ピン２０８ａと、バネ２１１ａと、コイル２１２ａが備えられ、基体としての前枠１２に、突起２０６ａが備えられてもよい。
【００６０】
なお、開放検知装置は、図７に示すような構成であってもよい。
【００６１】
図７は、開放検知装置２００ｂの構成の第２の例を示す斜視図である。
【００６２】
同図に示すように、開放検知装置２００ｂは、ＲＦタグ２０３ｂと、弾性体２０１ｂと、移動体２０５ｂと、突起２０６ｂと、ピン２０８ｂと、バネ２１１ｂと、コイル２１２ｂとを備える。
【００６３】
本図に示すように、基体としての前枠１２には、ＲＦタグ２０３ｂと、移動体２０５ｂと、ピン２０８ｂとが備えられる。また、扉体としてのガラス扉１３には、突起２０６ｂが備えられる。
【００６４】
ＲＦタグ２０３ｂは、実施の形態のＲＦタグ２０３ａと同様であり、パチンコ遊技機１００の固有情報を記憶保持している。ＲＦタグ２０３ｂは、一面２１０に粘着剤などによって、位置がずれないように取り付けられている。
【００６５】
破壊体としての移動体２０５ｂは、弾性体２０１ｂの押す力によりＲＦタグ２０３ｂを破壊する破壊位置と非破壊位置との間を移動可能なものである。
【００６６】
移動体２０５ｂは、移動方向の前面に小突起２０９を有する。小突起２０９をＲＦタグ２０３ｂに衝突させることにより、ＲＦタグ２０３ｂの破壊を確実にすることができる。
【００６７】
第１付勢部材としての弾性体２０１ｂは、その押し出す力によって、移動体２０５ｂを破壊位置に付勢するコイルバネである。なお、弾性体２０１ｂは、ＲＦタグ２０３ａを破壊できる程度の弾力を有するものであればよい。
【００６８】
第２規制部材としての突起２０６ｂは、ガラス扉１３が閉じた状態で、移動体２０５ｂが有する穴２０７ｂと嵌め合わさる位置に設けられ、ガラス扉１３の開閉に応じて破壊体としての糸２０２ａ、糸２０２ｂおよび移動体２０５ａに対して相対移動する。
【００６９】
突起２０６ｂは、ガラス扉１３が閉じている場合、穴２０７ｂと嵌まり合う位置、すなわち、破壊体としての移動体２０５ｂの移動を規制する規制位置に配置される。また、突起２０６ｂは、ガラス扉１３が開いている場合、同図に示すように突起２０６ｂが穴２０７ｂとの嵌まり合いが解除される位置、すなわち、破壊体としての移動体２０５ｂの移動に対する規制を解除する解除位置に配置される。
【００７０】
第１規制部材としてのピン２０８ｂは、破壊体としての移動体２０５ｂの移動を規制する規制位置と、破壊体としての移動体２０５ｂの移動に対する規制を解除する解除位置との間を移動可能な部材であり、パチンコ遊技機１００の電源の入切に連動して、突出および没入するソレノイド２１０ｂが有するプランジャの先端部分である。
【００７１】
ソレノイド２１０ｂは、実施の形態のソレノイド２１０ａと同様に、第２付勢部材としてのバネ２１１ｂと、電磁力発生手段としてのコイル２１２ｂとを備える。
【００７２】
第２付勢部材としてのバネ２１１ｂは、ピン２０８ｂをその解除位置に向けて付勢する。
【００７３】
電磁力発生手段としてのコイル２１２ｂは、遊技機の電源が入である場合に供給される電力を利用して電磁力を励磁し、その電磁力で第１規制部材としてのピン２０８ｂをその規制位置に保持する。また、コイル２１２ｂは、遊技機の電源が入である場合に供給される電力を利用するため、遊技機の電源が切である場合には電源が断たれ、電磁力を励磁しない。
【００７４】
このようなソレノイド２１０ｂにより、第１規制部材としてのピン２０８ｂは、実施の形態のピン２０８ａと同様に、パチンコ遊技機１００の電源が入である場合に移動体２０５ｂの移動を規制する規制位置に配置され、パチンコ遊技機１００の電源が切である場合に移動体２０５ｂの移動に対する規制を解除する解除位置に配置される。
【００７５】
同図は、パチンコ遊技機１００の電源が入である場合を示しており、第１規制部材としてのピン２０８ｂが、破壊体としての移動体２０５ｂの移動を規制している状態を示す。
【００７６】
以上のような開放検知装置２００ｂでは、実施の形態の開放検知装置２００ａと同様に、パチンコ遊技機１００の電源が「入」である場合、または、ガラス扉１３が閉じている場合に、第２規制部材としての突起２０６ｂおよび第１規制部材としてのピン２０８ｂとの少なくとも一方によって、破壊体としての移動体２０５ｂの移動が規制されている。また、パチンコ遊技機１００の電源が「切」であり、かつ、ガラス扉１３が開いている場合に、破壊体としての移動体２０５ｂの移動に対する、第２規制部材としての突起２０６ａおよび第１規制部材としてのピン２０８ｂによる規制がともに解除される。そのため、破壊体としての移動体２０５ｂがＲＦタグ２０３ｂ方向に移動し、ＲＦタグ２０３ｂは弾性体２０１ｂの付勢力により破壊される。
【００７７】
したがって、パチンコ遊技機１００への電力供給が完全に断たれたような場合であっても、ガラス扉１３が開かれるとＲＦタグ２０３ｂは機械的に破壊され、ガラス扉１３が開かれた跡が残る。ＲＦタグ２０３ｂの破壊は、図４に示すＲ／Ｗユニット３１０を各パチンコ遊技機１００にかざすことにより、容易に検知することができる。
【００７８】
また、図７に示す開放検知装置２００ｂは、実施の形態の開放検知装置２００ａと同様に、基体としての外枠１１と扉体としての前枠１２とに別れて取り付けられても良い。これにより、前枠１２が開放されたことを検知することが可能になる。
【００７９】
なお、基体としての前枠１２に、突起２０６ｂが備えられ、扉体としてのガラス扉１３には、ＲＦタグ２０３ｂと、移動体２０５ｂと、ピン２０８ｂと、バネ２１１ｂと、コイル２１２ｂが備えられてもよい。
【００８０】
なお、開放検知装置２００ａ（２００ｂ）は、基体としての外枠１１と扉体としての前枠１２とに取り付けられるとともに、基体としての前枠１２と扉体としてのガラス扉１３とにも取り付けられても良い。これにより、前枠１２が開かれたことと、ガラス扉１３が開かれたこととをともに検知することができる。
【００８１】
なお、ＲＦタグの破壊は複数のパチンコ遊技機と通信可能なリーダにより検知されてもよい。高周波帯で通信するＲＦタグにより通信可能範囲は広がるため、このようなＲＦタグにより実現できる。例えば、リーダが定期的にＲＦタグと通信し、ＲＦタグの破壊を検知した場合に、ブザーなどにより通知するとよい。これにより、不正の検知に掛かる手間を減らすことが可能になる。
【図面の簡単な説明】
【００８２】
【図１】本実施形態のパチンコ機を示す斜視図。
【図２】開放検知装置の構成の第１の例を示す斜視図。
【図３】ガラス扉を閉じた状態のパチンコ遊技機を示す斜視図。
【図４】ＲＦタグの破壊を検知するためのＲ／Ｗユニットを示す図。
【図５】パチンコ遊技機を背面方向から示す斜視図。
【図６】パチンコホールの台島に取り付けられているパチンコ遊技機の前枠を開けた状態を示す斜視図。
【図７】開放検知装置の構成の第２の例を示す斜視図。
【符号の説明】
【００８３】
１００…パチンコ遊技機、１１…外枠、１２…前枠、１３…ガラス扉、２００ａ・２００ｂ…開放検知装置、２０１ａ・２０１ｂ…弾性体、２０２ａ・２０２ｂ・２０２ｃ…糸、２０３ａ・２０３ｂ…ＲＦタグ、２０４ａ・２０４ｂ…保持部、２０５ａ・２０５ｂ…移動体、２０６ａ・２０６ｂ…突起、２０７ａ・２０７ｂ…穴、２０８ａ・２０８ｂ…ピン、２１１ａ・２１１ｂ…バネ、２１２ａ・２１２ｂ…コイル
【図１】
2008295575.tif 000003
【図２】
2008295575.tif 000004
【図３】
2008295575.tif 000005
【図４】
2008295575.tif 000006
【図５】
2008295575.tif 000007
【図６】
2008295575.tif 000008
【図７】
2008295575.tif 000009